(57)【特許請求の範囲】
【請求項１】
顔の表情筋を鍛えることができる顔用美容器具であって、
唇で咥えられると共に、中心軸に沿って延設された咥え部と、
前記咥え部に接続された本体部と、
前記本体部の内部に取り付けられると共に、前記咥え部を振動する振動部と、を備え、
前記振動部は、
第１回転軸を有し、前記第１回転軸が前記咥え部の中心軸に平行な方向に延設された第１回転モーターと、
第２回転軸を有し、前記第２回転軸が前記第１回転軸と直交する方向に延設された第２回転モーターと、
前記第１回転軸に偏心して設けられた第１錘と、
前記第２回転軸に偏心して設けられた第２錘と、を備える
ことを特徴とする顔用美容器具。
【請求項２】
さらに、前記第１及び第２回転モーターの駆動を制御すると共に、切換部を有する制御部を備え、
前記制御部は、前記切換部の操作に応じて、前記第１及び第２回転モーターのそれぞれの起動及び停止を切り換える
ことを特徴とする請求項１に記載の顔用美容器具。
【請求項３】
前記咥え部は、円筒状であることを特徴とする請求項１又は２に記載の顔用美容器具。
【請求項４】
前記第１回転軸は、前記中心軸に一致するように配置されることを特徴とする請求項１〜３のいずれかに記載の顔用美容器具。
【発明の詳細な説明】
【技術分野】
【０００１】
本発明は、顔の目、口及び鼻などを動かす筋肉である表情筋を鍛えることができる顔用美容器具に関する。
【背景技術】
【０００２】
顔には、目、口及び鼻などを動かす筋肉である表情筋がある。表情筋は、口輪筋、笑筋及び頬筋などを含む。表情筋を鍛えると顔が引き締まり、頬のたるみがなくなり、皺が少なくなると共に、小顔になるという美容効果がある。ところで、特許文献１等に開示されているように、従来の顔用美容器具は、ローラーを備えており、ローラーを顔に押し当ててマッサージする。そのため、従来の美容器具は、単に顔をマッサージするだけで、表情筋を鍛えることはできない。また、従来の美容器具では、顔の皮膚に直接刺激を与えるので、皮膚を傷めるおそれがある。
【先行技術文献】
【特許文献】
【０００３】
【特許文献１】実開平６−４８６５３号公報
【発明の概要】
【発明が解決しようとする課題】
【０００４】
そこで、本発明が解決しようとする課題は、顔の表情筋を鍛えることができる顔用美容器具を提供することにある。
【課題を解決するための手段】
【０００５】
上記課題を解決するために、本発明に係る顔用美容器具は、
顔の表情筋を鍛えることができる顔用美容器具であって、
唇で咥えられると共に、中心軸に沿って延設された咥え部と、
咥え部に接続された本体部と、
本体部の内部に取り付けられると共に、咥え部を振動する振動部と、を備え、
振動部は、
第１回転軸を有し、第１回転軸が咥え部の中心軸に平行な方向に延設された第１回転モーターと、
第２回転軸を有し、第２回転軸が第１回転軸と直交する方向に延設された第２回転モーターと、
第１回転軸に偏心して設けられた第１錘と、
第２回転軸に偏心して設けられた第２錘と、を備える。
【０００６】
好ましくは、顔用美容器具は、
さらに、第１及び第２回転モーターの駆動を制御すると共に、切換部を有する制御部を備え、
制御部は、切換部の操作に応じて、第１及び第２回転モーターのそれぞれの起動及び停止を切り換える。
【０００７】
好ましくは、
咥え部は、円筒状である。
【０００８】
好ましくは、
第１回転軸は、中心軸に一致するように配置される。
【発明の効果】
【０００９】
本発明に係る顔用美容器具において、使用者は、咥え部を唇で咥えた後、振動部で咥え部を振動することによって、振動を顔の表情筋に伝えることができる。そのため、振動で顔の表情筋を鍛えることができる。さらに、本発明に係る顔用美容器具は、顔の皮膚に直接刺激を与えないので、皮膚を傷めることがない。
【図面の簡単な説明】
【００１０】
【図１】顔用美容器具を示す斜視図。
【図２】（Ａ）は顔用美容器具の内部を示す側面図、（Ｂ）は（Ａ）のＢ−Ｂ線断面図。
【図３】顔用美容器具の使用状態を示す斜視図。
【発明を実施するための形態】
【００１１】
以下、図面に基づいて、本発明に係る顔用美容器具の実施形態を説明する。
【００１２】
[構造]
先ず、顔用美容器具の構造を説明する。
図１の通り、顔用美容器具は、中心軸１ａに沿って延設された咥え部１と、咥え部１に接続された本体部２と、を備える。咥え部１は、使用者が唇で咥えやすいように、円筒状に構成される。中心軸１ａは、咥え部１の上面の円形の中心を通る。本体部２は、後で説明する振動部３を内蔵できるように、ドーム状（椀状）に構成される。また、中心軸１ａは、本体部２の下面の円形の中心を通る。なお、咥え部１及び本体部２は、上記の形状に限定されない。例えば、咥え部１は、楕円筒状に構成されても良い。
【００１３】
図２（Ａ）の通り、顔用美容器具は、咥え部１を振動する振動部３を備える。振動部３は、本体部２に内蔵されて取り付けられる。振動部３の振動は、本体部２を通じて、咥え部１に伝わるように構成される。
【００１４】
振動部３は、第１及び第２回転モーター３１，３２を備える。第１及び第２回転モーター３１，３２は、ベース部２ａに取り付けられる。ベース部２ａは、本体部２の下端に取り付けられる。第１回転モーター３１は、第１回転軸３１ａを有する。第１回転軸３１ａは、咥え部１の中心軸１ａに平行な方向に延設される。本実施形態では、図２の通り、第１回転軸３１ａは、中心軸１ａに一致して配置される。
【００１５】
第２回転モーター３２は、第２回転軸３２ａを有する。第２回転軸３２ａは、第１回転軸３１ａと直交する方向に延設される。振動部３は、第１及び第２錘３５，３６を備える。第１錘３５は、第１回転軸３１ａに偏心して設けられる。第２錘３６は、第２回転軸３２ａに偏心して設けられる。
【００１６】
第１回転モーター３１を駆動すると、第１錘３５は第１回転軸３１ａを中心に回転する。また、第２回転モーター３２を駆動すると、第２錘３６は第２回転軸３２ａを中心に回転する。第１及び第２錘３５，３６は、その中心から偏心した位置に第１及び第２回転軸３１ａ，３２ａが取り付けられている。そのため、第１及び第２錘３５，３６が回転すると、第１及び第２回転軸３１ａ，３２ａを中心として、外側への遠心力が作用する。従って、顔用美容器具は、この遠心力による振動が咥え部１へ伝わるように構成されている。
【００１７】
顔用美容器具は、制御部４を備える。制御部４は、第１及び第２回転モーター３１，３２の駆動を制御すると共に、切換部４０を有する。制御部４は、切換部４０の操作に応じて、第１及び第２回転モーター３１，３２のそれぞれの起動及び停止を切り換える。本実施形態では、切換部４０は、切換ボタンからなる。
【００１８】
本実施形態では、制御部４は、使用者が切換部４０を１回押すと、第１回転モーター３１を起動して、第１回転モーター３１だけが駆動し、使用者が切換部４０を２回押すと、第１回転モーター３１の回転速度が上昇し、使用者が切換部４０を３回押すと、第２回転モーター３２を起動して、第１及び第２回転モーター３１，３２を駆動する。そして、使用者が切換部４０を４回押すと、制御部４は、第１回転モーター３１だけの駆動に戻る（切換部４０の１回目の押圧）。さらに、使用者が切換部４０を一定時間押し続けると、制御部４は、第１及び第２回転モーター３１，３２を停止する。
【００１９】
[使用方法]
次に、顔用美容器具の使用方法を説明する。
図３の通り、使用者は、顔用美容器具の咥え部１を唇で咥える。使用者は、中心軸１ａが水平に近づくように、顔用美容器具を唇で保持する。使用者は、制御部４を介して、振動部３を駆動する。これにより、振動部３からの振動が咥え部１に伝わる。
【００２０】
咥え部１に伝わる振動は、第１錘３５による第１遠心力と、第２錘３６による第２遠心力からなる。第１遠心力の中心は、第１回転モーター３１の第１回転軸３１ａに一致する。第２遠心力の中心は、第２回転モーター３２の第２回転軸３２ａに一致する。そのため、中心が互いに直行する２つの遠心力が、咥え部１を通じて、唇に対して作用する。この作用によって、唇から顔の表情筋に対して、様々な方向の引張り力を付加でき、表情筋を鍛えることができる。
【００２１】
なお、咥え部１を歯で咥えると、振動部３の振動は頭蓋骨に伝わるので、表情筋を鍛えることができない。そのため、咥え部１を唇で咥えて、振動部３の振動を表情筋に伝える必要がある。
以上、本発明の好ましい実施形態を説明したが、本発明の構成はこれらの実施形態に限定されるものではない。
【符号の説明】
【００２２】
１  咥え部
１ａ  中心軸
２  本体部
３  振動部
３１  第１回転モーター
３１ａ  第１回転軸
３２  第２回転モーター
３２ａ  第２回転軸
３５  第１錘
３６  第２錘
４  制御部
４０  切換部
【図１】
0006587409.tif 000002
【図２】
0006587409.tif 000003
【図３】
0006587409.tif 000004